(57)【特許請求の範囲】
【請求項１】
放送局から放送された少なくとも音声信号を含む放送番組を受信する放送受信装置において、
放送番組に関する番組情報を取得する取得手段と、
前記取得された番組情報を記憶する番組情報記憶手段と、
前記番組情報からユーザの番組趣向に関連する情報として固有名詞を抽出し記憶する辞書手段と、
前記番組情報に含まれている固有名詞の前、後、もしくは前後で当該固有名詞と連なる可能性が高いキーワードと、該キーワードの前、後、もしくは前後の何れの方向に注目すれば当該固有名詞が連なっている可能性が高いかを示す注目方向情報とからなる注目キーワードテーブルを記憶する注目キーワードテーブル記憶手段と、
前記番組情報記憶手段に記憶された番組情報の中からユーザが所望する番組情報を選択する選択手段と、
前記注目キーワードテーブルに基づいて、前記選択された番組情報から前記キーワードの前、後、もしくは前後に連なる文字列を固有名詞候補と判定する判定手段と、
前記判定された固有名詞候補から前記辞書手段に登録されていない固有名詞を抽出する抽出手段と、
前記抽出された固有名詞を前記辞書手段に登録する登録手段と、
を備えたことを特徴とする放送受信装置。
【請求項２】
放送局から放送された少なくとも音声信号を含む放送番組を受信する放送受信装置の固有名詞登録方法において、
前記放送受信装置は、
放送番組に関する番組情報からユーザの番組趣向に関連する情報として固有名詞を抽出し記憶する辞書手段と、
前記番組情報に含まれている固有名詞の前、後、もしくは前後で当該固有名詞と連なる可能性が高いキーワードと、該キーワードの前、後、もしくは前後の何れの方向に注目すれば当該固有名詞の連なっている可能性が高いかを示す注目方向情報とからなる注目キーワードテーブルを記憶する注目キーワードテーブル記憶手段と、
を備え、
前記番組情報を取得する取得工程と、
前記取得された番組情報を記憶する第１の記憶工程と、
前記第１の記憶工程にて記憶された番組情報の中からユーザが所望する番組情報を選択する選択工程と、
前記注目キーワードテーブルに基づいて、前記選択された番組情報から前記キーワードの前、後、もしくは前後に連なる文字列を固有名詞候補と判定する判定工程と、
前記判定された固有名詞候補から前記辞書手段に登録されていない固有名詞を抽出する抽出工程と、
前記抽出された固有名詞を前記辞書手段に登録する登録工程と、
を含むことを特徴とする固有名詞登録方法。
【発明の詳細な説明】
【技術分野】
【０００１】
本発明は、放送番組を受信することができる放送受信装置に関するものであり、特に、放送番組に関する番組情報からユーザの番組趣向に関連する情報として抽出された固有名詞を辞書に登録するようにした放送受信装置およびその固有名詞登録方法に関するものである。
【背景技術】
【０００２】
近年、車載型のナビゲーション装置の性能は飛躍的に向上し、多機能化が進んでいる。特に、出発地から目的地までの経路を自動的に検索し、検索された経路を誘導経路として地図上に表示する経路探索機能と音楽ＣＤやラジオ放送番組などを車内で楽しむためのオーディオ機能を搭載したナビゲーションシステムが提供されている。
【０００３】
また、アンテナ等を用いてテレビ放送（無線映像情報）を受信し、ＬＣＤ等の表示装置を用いて表示するテレビ放送受信機能を備えたナビゲーション装置も存在する。テレビ放送は大きく分けて、従来から存在するアナログテレビ放送と、近年になって普及し始めたデジタルテレビ放送との二つが存在する。
【０００４】
このように今後同一の放送受信装置で視聴できる番組数はますます増えて来るものと予想され、テレビの多チャンネル化に伴い新聞等のテレビ番組表や電子番組表に掲載される大量の番組情報からユーザが好みの番組を選択することは難しくなってきている。
【０００５】
このためユーザの視聴履歴やキーワード入力によって作成されたユーザ嗜好情報と電子番組表（ＥＰＧ：Ｅｌｅｃｔｒｏｎｉｃ  Ｐｒｏｇｒａｍ  Ｇｕｉｄｅ）とを用いてユーザの嗜好にあった番組を検索してユーザに表示することができる放送受信装置が様々に提案されている。
【０００６】
そして、例えば、下記の特許文献１（特開２００４−３１２６２７号公報）には、従来方法の使い勝手を保ちつつキーワード情報のない地上デジタル放送対応の放送受信装置においても簡便で使いやすい番組検索機能を提供することができる技術が開示されている。
【０００７】
この特許文献１に開示された技術は、検索のキーワードの集合体として固有名詞辞書をあらかじめ用意しておき、視聴者選択番組の番組情報に含まれる文字列を固有名詞辞書に含まれる固有名詞の文字列と照合する。つまり、固有名詞の文字列をキーワードとして視聴者選択番組の番組情報に含まれる文字列を検索する。これにより、検索用キーワードを固有名詞をベースとする文字列に絞り込むことができる。固有名詞をベースとする文字列に絞り込まれた検索用キーワードは、受信し一時記憶したキーワード情報非付加の第１の番組情報を検索するためのキーワードとして、より適正で、検索上より確度の高いものとなるように構成されているものである。
【０００８】
このように構成することにより、固有名詞辞書をあらかじめ用意しておき、視聴者選択番組の番組情報の中に含まれる固有名詞辞書にある固有名詞をキーワードとして検索するので、単語として認められない文字列や単語として認められてもキーワードとは到底言えない文字列については、これを抽出の対象から除外することができ、視聴者に不快感を与えることなく、従来の使い勝手を保ちつつ、信憑性の高い番組検索を実現できる。
【特許文献１】特開２００４−３１２６２７号公報（段落［００２５］、段落［００２６］）
【発明の開示】
【発明が解決しようとする課題】
【０００９】
ところで、番組情報の中から視聴者の最新の視聴傾向に沿ったキーワードを検索するためには、固有名詞辞書に逐次視聴者の最新の視聴傾向に沿った固有名詞を追加する必要があり、視聴者選択番組の番組情報の中に含まれる最新の固有名詞を抽出して固有名詞辞書に追加するのが望ましい。
【００１０】
しかしながら上記の特許文献１の放送受信装置（テジビジョン受像装置）においては、固有名詞辞書に追加される固有名詞は、視聴者選択番組の番組情報の中に含まれる固有名詞を抽出したものではない。具体的には、メガポートＥＰＧ番組情報データ蓄積用記憶装置のキーワード情報から抽出したキーワードを固有名詞として固有名詞辞書の追加しているだけである。
【００１１】
したがって、番組情報の中から視聴者の最新の視聴傾向に沿ったキーワードを検索することができる固有名詞辞書を容易に作成できるように、視聴者選択番組の番組情報の中に含まれる固有名詞を効率良く抽出し、固有名詞辞書に追加登録する方法の実現が望まれている。
【００１２】
本願の発明者は上記の問題点を解消すべく種々検討を重ねた結果、番組情報に含まれている固有名詞の前、後、もしくは前後で当該固有名詞と連なる可能性が高いキーワードと、該キーワードの前、後、もしくは前後の何れの方向に注目すれば当該固有名詞が連なっている可能性が高いかを示す注目方向情報とからなる注目キーワードテーブルを記憶する注目キーワードテーブルを用意し、この注目キーワードテーブルに基づいて、ユーザによって選択された番組情報から前記キーワードの前、後、もしくは前後に連なる文字列を固有名詞候補と判定するようになせば、上記の問題点を解消し得ることを想到し本発明を完成するに至ったものである。
【００１３】
すなわち、本発明は、上記の問題点を解消することを課題とし、固有名詞の前、後、もしくは前後に連なる可能性の高いキーワードに基づいて、番組情報から固有名詞を抽出するようにした放送受信装置を提供することを目的とするものである。
【課題を解決するための手段】
【００１４】
前記課題を解決するために、本願の請求項１にかかる発明は、
放送局から放送された少なくとも音声信号を含む放送番組を受信する放送受信装置において、
放送番組に関する番組情報を取得する取得手段（例えば下記実施例では、制御部１０１に相当する）と、
前記取得された番組情報を記憶する番組情報記憶手段（例えば下記実施例では、記憶部１１２に相当する）と、
前記番組情報からユーザの番組趣向に関連する情報として固有名詞を抽出し記憶する辞書手段（例えば下記実施例では、記憶部１１２に相当する）と、
前記番組情報に含まれている固有名詞の前、後、もしくは前後で当該固有名詞と連なる可能性が高いキーワードと、該キーワードの前、後、もしくは前後の何れの方向に注目すれば当該固有名詞が連なっている可能性が高いかを示す注目方向情報とからなる注目キーワードテーブルを記憶する注目キーワードテーブル記憶手段と、（例えば下記実施例では、記憶部１１２に相当する）、
前記番組情報記憶手段に記憶された番組情報の中からユーザが所望する番組情報を選択する選択手段（例えば下記実施例では、操作入力部１１３に相当する）と、
前記注目キーワードテーブルに基づいて、前記選択された番組情報から前記キーワードの前、後、もしくは前後に連なる文字列を固有名詞候補と判定する判定手段（例えば下記実施例では、制御部１０１に相当する）と、
前記判定された固有名詞候補から前記辞書手段に登録されていない固有名詞を抽出する抽出手段（例えば下記実施例では、制御部１０１に相当する）と、
前記抽出された固有名詞を前記辞書手段に登録する登録手段（例えば下記実施例では、制御部１０１に相当する）と、
を備えたことを特徴とする。
【００１５】
また、本願の請求項２にかかる発明は、
放送局から放送された少なくとも音声信号を含む放送番組を受信する放送受信装置の固有名詞登録方法において、
前記放送受信装置は、
放送番組に関する番組情報からユーザの番組趣向に関連する情報として固有名詞を抽出し記憶する辞書手段（例えば下記実施例では、記憶部１１２に相当する）と、
前記番組情報に含まれている固有名詞の前、後、もしくは前後で当該固有名詞と連なる可能性が高いキーワードと、該キーワードの前、後、もしくは前後の何れの方向に注目すれば当該固有名詞が連なっている可能性が高いかを示す注目方向情報とからなる注目キーワードテーブルを記憶する注目キーワードテーブル記憶手段と、（例えば下記実施例では、記憶部１１２に相当する）と、
を備え、
前記番組情報を取得する取得工程と、
前記取得された番組情報を記憶する第１の記憶工程と、
前記第１の記憶工程にて記憶された番組情報の中からユーザが所望する番組情報を選択する選択工程と、
前記注目キーワードテーブルに基づいて、前記選択された番組情報から前記キーワードの前、後、もしくは前後に連なる文字列を固有名詞候補と判定する判定工程と、
前記判定された固有名詞候補から前記辞書手段に登録されていない固有名詞を抽出する抽出工程と、
前記抽出された固有名詞を前記辞書手段に登録する登録工程と、
を含むことを特徴とする。
【発明の効果】
【００１６】
請求項１、請求項２にかかる発明においては、放送受信装置は、番組情報に含まれている固有名詞の前、後、もしくは前後で当該固有名詞と連なる可能性が高いキーワードと、該キーワードの前、後、もしくは前後の何れの方向に注目すれば当該固有名詞が連なっている可能性が高いかを示す注目方向情報とからなる注目キーワードテーブルを記憶する注目キーワードテーブルに基づいて、ユーザによって選択された番組情報から前記キーワードの前、後、もしくは前後に連なる文字列を固有名詞候補と判定する。
【００１７】
このような構成によれば、番組情報から固有名詞を適切に探しだすことが可能である。このため、番組情報の中からユーザの最新の視聴傾向に沿ったキーワードを検索することができる固有名詞辞書を容易に作成できるので、ユーザにとっての利便性が向上する。
【発明を実施するための最良の形態】
【００１８】
以下、本発明の具体例を実施例及び図面を用いて詳細に説明する。但し、以下に示す実施例は、本発明の技術思想を具体化するための放送受信装置を例示するものであって、本発明をこの放送受信装置に特定することを意図するものではなく、特許請求の範囲に含まれるその他の実施形態の放送受信装置にも等しく適用し得るものである。
【実施例】
【００１９】
図１は、本発明の実施例にかかる放送受信装置の構成を示すブロック図である。車載用放送受信装置１０は、制御部１０１、アンテナ部１０２、フロントエンド部１０３、復調部１０４、デマルチプレクサ１０５、オーディオデコーダ１０６、ビデオデコーダ１０７、音声出力部１０８、表示制御部１０９、表示合成部１１０、表示部１１１、記憶部１１２、操作入力部１１３などを備えて構成されている。
【００２０】
なお、制御部１０１は本発明の取得手段、選択手段、判定手段、抽出手段、登録手段に相当し、記憶部１１２は本発明の番組情報記憶手段、注目キーワードテーブル記憶手段、辞書手段に相当し、操作入力部１１３は本発明の選択手段に相当する。
【００２１】
また、本実施例は、車載用の放送受信装置を示すものであるが、放送受信機能を有する携帯電話機や携帯ゲーム機などの携帯型の放送受信装置あるいは屋内に設置される固定型の放送受信装置であってもよい。
【００２２】
制御部１０１は、マイクロプロセッサを中心に構成され、一般的なコンピュータ装置と同様にＲＡＭ、ＲＯＭなどのメモリを備えており、ＲＯＭに格納されている各種制御プログラムを読み出し、ＲＡＭ内のプログラム格納領域に展開し、該制御プログラムに従って各部の動作を制御する。
【００２３】
アンテナ部１０２は、放送局から送信される放送電波を受信する。アンテナ部１０２によって受信された電波は、フロントエンド部１０３に送られる。
【００２４】
フロントエンド部１０３は、アンテナ部１０２によって受信された電波を、ＲＦ（Ｒａｄｉｏ  Ｆｒｅｑｕｅｎｃｙ）信号（高周波信号）に復調するための回路である。復調により得られたＲＦ信号は、復調部１０４に送られる。
【００２５】
復調部１０４は、フロントエンド部１０３によって復調されたＲＦ信号を、ベースバンド信号（変調されていない音声情報、映像情報、ＥＰＧデータ等の情報を含んだ信号）へと周波数変換するための回路である。周波数変換により得られたベースバンド信号は、デマルチプレクサ１０５に送られる。
【００２６】
デマルチプレクサ１０５は、復調部１０４によって周波数変換されたベースバンド信号を、オーディオ信号データ（音声データ）とビデオ信号データ（映像データ）とＥＰＧデータ等の番組情報とに分離するための回路である。分離されたオーディオ信号データはオーディオデコーダ１０６に送られる。また、分離されたビデオ信号データはビデオデコーダ１０７に送られる。また、ＥＰＧデータ等の番組情報は制御部１０１に送られる。
【００２７】
オーディオデコーダ１０６は、アナログデータ或いはデジタルデータであるオーディオ信号を、音声出力部１０８により音声出力するための信号に復号する復号用回路である。音声出力部１０８は、オーディオデコーダ１０６によって復号された音声信号を音声として出力するための拡声器である。
【００２８】
ビデオデコーダ１０７は、アナログデータ或いはデジタルデータであるビデオ信号を、表示部１１１により映像出力するための信号に復号する復号用回路である。表示部１１１は、ビデオデコーダ１０７によって復号された映像信号を映像に変換して表示するための装置であり、例えばＬＣＤ（液晶表示装置）や有機ＥＬＤ等の表示装置から構成される。
【００２９】
制御部１０１は、デマルチプレクサ１０５を介して受け取ったＥＰＧデータ等の番組情報に基づき現在放送されている放送局の番組情報を取得し、記憶部１１２の番組情報データ記憶領域１１２ａに記憶する。また、制御部１０１は、記憶部１１２の番組情報データ記憶領域１１２ａに記憶されている番組情報を抽出する処理を行い、抽出したデータを表示制御部１０９に渡す。
【００３０】
表示制御部１０９は、制御部１０１が抽出した番組情報を基に、ユーザに対して表示する番組リストを作成するための回路であり、チャンネル毎に放送中の番組やお勧めの番組が示されている番組リストが作られる。
【００３１】
表示部１１１は、受信可能なチャンネル番号（ＣＨ）と放送中の番組タイトルが表記されたボタンアイコンを表示する。ユーザによって視聴を希望するチャンネル番号のボタンアイコンがタッチされると、制御部１０１は該当するチャンネルの放送局を選局し、当該放送局からの放送を受信する。
【００３２】
表示合成部１１０は、ビデオデコーダ１０７によって復号された映像信号と、表示制御部１０９によって作成された番組リストの映像信号とを合成するための回路である。
【００３３】
記憶部１１２は、放送受信装置１０が保持する各種データ（ＥＰＧデータを含む番組情報データ等）を記録するための記憶媒体である。好ましくは大容量の記憶容量を有するハードディスクが用いられる。なお、記憶部１１２は、複数の領域（パーティション）に物理的に分割されており、記憶するデータの種別に応じて領域別に記憶することがより望ましい。
【００３４】
記憶部１１２は、少なくとも放送中の放送番組に含まれるＥＰＧデータ等の番組情報に基づき現在放送中の番組情報データを記憶する領域である番組情報データ記憶領域１１２ａ（番組情報記憶手段に相当）と、番組情報に含まれている固有名詞の前、後、もしくは前後で、固有名詞と連なる可能性が高いキーワードと、キーワードの前、後、もしくは前後の何れの方向に注目すれば固有名詞が連なっている可能性が高いかを示す注目方向情報とからなる注目キーワードテーブルを記憶する注目キーワードテーブル記憶領域１１２ｂ（注目キーワードテーブル記憶手段に相当）と、ユーザが選択した放送番組の番組情報からユーザの番組趣向に関連する情報として抽出された固有名詞を辞書（カスタム品詞テーブル）として記憶する領域である固有名詞辞書データ記憶領域１１２ｃ（辞書手段に相当）と、を含むように構成されている。
【００３５】
操作入力部１１３は、ユーザが番組を視聴する放送局の選局や、装置の電源のＯＮ／ＯＦＦ等の指示を放送受信装置１０に対して行なうための入力用インターフェースであり、タッチパネル式液晶モニタ上に表示されるボタンアイコン等により構成されている。タッチパネルは、表示部１１１のＬＣＤ表示面に設けられ、表示面の任意の位置における指などの押圧あるいは接触を検出して位置検出信号を生成し、その位置検出信号を制御部１０１に対して動作制御信号として出力する。ユーザは表示されるボタンアイコンをタッチすることにより、所望の放送局の番組を視聴することが可能である。
【００３６】
また、制御部１０１は、ユーザが表示部１１１に表示されたボタンアイコンをタッチして所望の放送番組を選択すると、記憶部１１２の番組情報データ記憶領域１１２ａに記憶されている番組情報データの中からユーザによって選択された放送番組の番組情報を検索して、この番組情報に含まれているユーザの番組趣向に関連する情報として固有名詞を抽出し、記憶部１１２の固有名詞辞書データ記憶領域１１２ｃに記憶する。
【００３７】
ここで、制御部１０１は、記憶部１１２の注目キーワードテーブル記憶領域１１２ｂに記憶されている注目キーワードテーブルに基づいて、番組情報に含まれている番組のタイトル、番組内容の説明・解説等の中からキーワードの直前、直後、もしくは直前後の１文節を固有名詞候補を判定し、判定された固有名詞候補の中から記憶部１１２の固有名詞辞書データ記憶領域１１２ｃに登録されていない固有名詞を抽出し、固有名詞辞書データ記憶領域１１２ｃに登録させる。
【００３８】
図３は、記憶部１１２の注目キーワードテーブル記憶領域１１２ｂに記憶されている注目キーワードテーブルの一例を示している。図３の示すように、番組情報に含まれている固有名詞候補の前、後、もしくは前後に連なる可能性の高い注目キーワードと、当該注目キーワードの前、後、もしくは前後の何れの方向に注目すれば当該固有名詞候補の連なっている可能性が高いかを示す注目方向情報と関連付けられて記憶されている。
【００３９】
具体的には、注目キーワード『主演：』に付随する文字列（固有名詞候補）は注目キーワード『主演：』の後方に、例えば、「主演：渡辺  ○」のように連なると考えられるため、注目キーワードの後方の単語に注目する。また、注目キーワード『（主演）』に付随する文字列（固有名詞候補）は注目キーワード『（主演）』の前方に、例えば、「渡辺  ○（主演）」のように連なると考えられるため、注目キーワードの前方の単語に注目する。
【００４０】
その他の注目キーワードとしては、主演者のほかに出演者として『主演：』、ドラマの出演者に付けられる役名として『（［人名］）』、連続番組の番組名に表記される話数として『第○話』や『（［数字］）』、スポーツの対戦カードに表記される『×』や『対』、スポーツの戦数として『○戦』や『第○日目』などが挙げられる。
【００４１】
制御部１０１は、ユーザが選択した放送番組の番組情報に含まれる注目キーワードの前後方に連なる注目単語（文字列）を固有名詞候補と判定すると、判定された固有名詞候補が記憶部１１２の固有名詞辞書データ記憶領域１１２ｃに記憶されているか判断し、まだ記憶されていない固有名詞候補を抽出し、抽出された固有名詞候補を固有名詞辞書データ記憶領域１１２ｃに登録する。
【００４２】
次に、本発明にかかる放送受信装置の固有名詞データの登録動作について説明する。
【００４３】
図２は、本実施例にかかる放送受信装置の動作を示すフローチャートである。
【００４４】
なお、図２に示す動作は制御部１０１に備えられたＲＯＭに記憶されている制御プログラムを実行することで実現される。
【００４５】
図２のフローチャートにおいて、ステップＳ２００において、放送局からの放送番組の受信もしくは所定のサーバとの通信によるダウンロードによってＥＰＧデータ等の番組情報を取得し、記憶部１１２の番組情報データ記憶領域１１２ａに記憶する。
【００４６】
ステップＳ２０１において、ユーザにより表示部１１１のタッチパネルから所望の放送局の放送番組が選択されたか否か判定し、放送番組が選択された場合にはステップＳ２０２に進み、一方、放送番組が選択されていない場合にはステップＳ２０１の処理に戻る。
【００４７】
そして、ステップＳ２０２において、記憶部１１２の注目キーワードテーブル記憶領域１１２ｂに記憶されている注目キーワードテーブルに基づいて、記憶部１１２の番組情報データ記憶領域１１２ａに記憶されている番組情報データに含まれている番組のタイトル、番組内容の説明・解説の中から重要と思われるキーワードの直前、直後、もしくは直前後の１文節から固有名詞候補を判定する。
【００４８】
ステップＳ２０３において、固有名詞候補として判定された単語（文字列）があるか否か判定し、固有名詞候補として判定された単語（文字列）がある場合にはステップＳ２０４に進み、一方、固有名詞候補として判定された単語（文字列）がない場合には処理を終了する。
【００４９】
ステップＳ２０４において、固有名詞候補として判定された単語（文字列）が既に記憶部１１２の固有名詞辞書データ記憶領域１１２ｃに登録されているか否か判定し、固有名詞辞書データ記憶領域１１２ｃに登録されていない場合にはステップＳ２０５に進み、一方、固有名詞辞書データ記憶領域１１２ｃに登録されている場合にはステップＳ２０３の処理に戻る。
【００５０】
ステップＳ２０５において、ステップＳ２０４において抽出された固有名詞を固有名詞辞書データ記憶領域１１２ｃに登録し、ステップＳ２０３の処理に戻る。
【００５１】
以上説明したように本発明にかかる放送受信装置によれば、番組情報に含まれている固有名詞の前、後、もしくは前後で固有名詞と連なる可能性が高いキーワードと、キーワードの前、後、もしくは前後の何れの方向に注目すれば固有名詞が連なっている可能性が高いかを示す注目方向情報とからなる注目キーワードテーブルを記憶する注目キーワードテーブルに基づいて、ユーザによって選択された番組情報から前記キーワードの前、後、もしくは前後に連なる文字列を固有名詞候補と判定するので、番組情報から固有名詞を適切に探しだすことが可能である。このため、番組情報の中からユーザの最新の視聴傾向に沿ったキーワードを検索することができる固有名詞辞書を容易に作成できるので、ユーザにとっての利便性が向上する。
【００５２】
なお、上記実施例では、テレビ放送番組における選局について説明したが、放送番組はこれに限ることなく、ラジオ放送番組などの音声信号のみの放送番組の選局について適用することも可能である。
【図面の簡単な説明】
【００５３】
【図１】本発明の実施例にかかる放送受信装置の構成を示すブロック図である。
【図２】本発明の実施例にかかる放送受信装置の固有名詞データの登録動作を示すフローチャートである。
【図３】本発明の実施例にかかる記憶部に記憶されている注目キーワードテーブルの一例を示している。
【符号の説明】
【００５４】
１０  ・・・・放送受信装置
１０１・・・・制御部
１０２・・・・アンテナ部
１０３・・・・フロントエンド部
１０４・・・・復調部
１０５・・・・デマルチプレクサ
１０６・・・・オーディオデコーダ
１０７・・・・ビデオデコーダ
１０８・・・・音声出力部
１０９・・・・表示制御部
１１０・・・・表示合成部
１１１・・・・表示部
１１２・・・・記憶部
１１３・・・・操作入力部
【図１】
0005060886.tif 000002
【図２】
0005060886.tif 000003
【図３】
0005060886.tif 000004